(57)【要約】      （修正有）【課題】扉を開けずに、イオン発生装置などの空調機器の動作状態を手軽に確認できるようにする。【解決手段】収納庫内の天板１に、表示部を有するイオン発生装置１０が設置される。表示部から発せられた光を外部に伝達して、表示部の表示状態を外部から視認可能とする視認部１３が設けられる。視認部１３は、光ファイバからなる伝達路１４を有する。伝達路１４の内端は、表示部に対向し、外端は、収納庫の外部に位置する。表示部から発せられた光は、伝達路１４を通って外部に伝達される。視認部１３を覗くことにより、表示部からの光の有無を視認でき、イオン発生装置１０の動作状態を確認できる。【選択図】図３
2013100948.tif 000002
【特許請求の範囲】
【請求項１】
表示部を有する電気機器が設置された収納庫であって、表示部から発せられた光を外部に伝達して、表示部の表示状態を外部から視認可能とする視認部を備えたことを特徴とする収納庫。
【請求項２】
視認部として、電気機器から収納庫の外部に通じる光の伝達路が形成されることを特徴とする請求項１記載の収納庫。
【請求項３】
伝達路の内端が電気機器の表示部に対向し、外端が収納庫の外部に位置することを特徴とする請求項２記載の収納庫。
【請求項４】
電気機器が収納庫の天板に設けられ、伝達路が天板に沿って配置されたことを特徴とする請求項２または３記載の収納庫。
【請求項５】
収納庫を開閉する扉が設けられ、扉に視認部が設けられ、伝達路は、表示部からの光を反射して視認部に導くことを特徴とする請求項２記載の収納庫。
【請求項６】
収納庫を開閉する扉が設けられ、扉に視認部が設けられ、視認部は、広角レンズを有することを特徴とする請求項１または２記載の収納庫。
【請求項７】
電気機器が空調装置とされたことを特徴とする請求項１〜６のいずれかに記載の収納庫。
【請求項８】
空調装置はイオン発生装置を含むことを特徴とする請求項７記載の収納庫。
【発明の詳細な説明】
【技術分野】
【０００１】
本発明は、収納空間内の除菌や脱臭を行う空調機器などの電気機器が設置された収納庫に関する。
【背景技術】
【０００２】
従来の箪笥やクローゼットなどの収納庫では、煙草や汗の臭いが付着した衣類が収納されることがある。収納庫内の収納空間は閉空間であり、収納された衣類が密集しているため、衣類に付着した臭いが取れにくい。しかも、収納空間にその臭いがこもる、他の綺麗な衣類に臭いが移るといった問題がある。また、雨などで少し濡れた状態の衣類をそのまま収納すると、小空間である収納空間では、湿度が上がり、その結果、カビが繁殖しやすい環境になってしまうという問題もある。
【０００３】
そのため、収納庫内にイオン発生装置やオゾン発生装置などの空調機器を設置して、除菌や脱臭が行われる。ところで、このような空調機器では、動作状態を示したり、メンテナンスの実施を通知するために表示部が設けられている。しかし、空調機器が収納庫内に設置されるため、表示部を外部から見ることができない。表示部の表示を確認するには、収納庫の扉を開けなければならない。
【０００４】
特許文献１に記載された収納庫では、開閉可能な覗き窓装置が設けられている。覗き窓装置が開状態のとき、扉を開けなくても内部を視認することができる。また、空調機器とは別体のインジケータを用いることも考えられる。インジケータは扉に設置され、空調機器と無線あるいは有線で通信可能に接続される。インジケータにより、空調機器の動作状態を外部から確認できる。
【先行技術文献】
【特許文献】
【０００５】
【特許文献１】特開平９−１８７３２８号公報
【発明の概要】
【発明が解決しようとする課題】
【０００６】
覗き窓装置では、収納庫内部を視認できるため、内部にある見られたくないものまで見られるおそれがあり、好ましくない。また、外部にインジケータを設置すると、通信可能に接続するために余計なコストがかかってしまう。
【０００７】
本発明は、上記に鑑み、扉を開けずに空調機器の動作状態などを簡便に視認できる収納庫の提供を目的とする。
【課題を解決するための手段】
【０００８】
本発明は、表示部を有する電気機器が設置された収納庫であって、表示部から発せられた光を外部に伝達して、表示部の表示状態を外部から視認可能とする視認部を備えたものである。ここで、電気機器は、例えばイオン発生装置などの空調機器である。
【０００９】
視認部として、電気機器から収納庫の外部に通じる光の伝達路が形成される。伝達路は、表示部から発せられた光を伝達する。そして、伝達路の内端が電気機器の表示部に対向し、外端が収納庫の外部に位置する。これにより、表示部の光は、収納庫の外部に伝達され、外部から表示部の光の有無を視認でき、表示部の表示状態を確認できる。
【００１０】
電気機器が収納庫の天板に設けられ、伝達路が天板に沿って配置される。これにより、収納庫内に収納された物品の邪魔にならない。また、物品が伝達路を遮ることもなくなり、光の伝達路を確保できる。
【００１１】
収納庫を開閉する扉が設けられ、扉に視認部が設けられる。このとき、伝達路は、表示部からの光を反射して視認部に導く。表示部と視認部とが離れていて、表示部からの光を直接伝達できなくても、光を反射させることにより、表示部からの光を視認部に伝達できる。また、扉に設けられた視認部が広角レンズを有する場合、広角レンズが表示部からの光を集光する。すなわち、表示部と広角レンズとの間に伝達路が形成される。
【発明の効果】
【００１２】
本発明によると、電気機器の表示部からの光の伝達路を有する視認部を設けることにより、表示部からの光を収納庫の外部に導くことができる。したがって、収納庫の扉を開けなくても、この視認部を通じて表示部の光の有無を視認でき、表示部の表示状態を収納庫の外部から手軽に確認することができる。
【図面の簡単な説明】
【００１３】
【図１】本発明のイオン発生装置を備えた収納庫の内部を示す図
【図２】イオン発生装置の正面図
【図３】収納庫に設けられた視認部を示す図
【図４】他の形態の視認部を備えた収納庫の正面図
【図５】他の形態の伝達路を有する視認部を示す図
【発明を実施するための形態】
【００１４】
本実施形態の収納庫を図１に示す。衣類などの物品を吊り下げて収納する収納庫は、前面が開口した収納空間を有する。収納空間は、天板１、背板２、左右の側板３、底板４から形成され、前面の開口に開閉自在な扉５が設けられる。収納空間の上部には、衣類を吊り下げるためのポール６が設けられる。ポール６は、左右方向に差し渡され、左右の側板３に取り付けられる。
【００１５】
そして、収納庫内に、イオンを発生するイオン発生装置１０が設けられている。イオン発生装置１０は、発生させたイオンにより収納庫内の除菌や脱臭を行う空調機器の一種である。
【００１６】
収納庫内に設置されるイオン発生装置１０は、天板１に取り付けられ、ポール６よりも上方に位置する。イオン発生装置１０は、イオンを発生するイオン発生器と、発生したイオンを吹き出すための送風機とを備え、これらはケースに内装されている。ケースが天板１に取り付けられる。イオン発生装置１０から発生したイオンは、収納空間の上部から下方に向かって放出される。
【００１７】
図２に示すように、ケースの前面に、運転状態を示すための表示部１１が設けられている。表示部１１は、点灯、点滅、消灯によりイオン発生装置１０の動作状態を示すインジケータ１２を備えている。インジケータ１２はＬＥＤを内蔵しており、イオン発生装置１０の運転中には、ＬＥＤが点灯して光を発し、異常などが発生すると、点滅する。
【００１８】
上記の収納庫は、図３に示すように、表示部１１の表示状態を外部から視認可能とする視認部１３を備えている。視認部１３は、表示部１１から発せられた光を収納庫の外部に伝達する伝達路１４を有している。伝達路１４は、光ファイバにより形成される。伝達路１４の内端がイオン発生装置１０の表示部１１に対向し、外端が収納庫の外部に位置する。伝達路１４は、表示部１１の位置に応じて屈曲されながら天板１の下面に沿って配置され、固定具１５により天板１に取り付けられる。なお、扉５が開き戸タイプの場合、天板１と扉５の上面との間に隙間があるので、伝達路１４は、この隙間を通って収納庫の外部に導き出される。扉５が引き戸タイプの場合、伝達路１４は、収納庫内から天板１の上面に引き出され、天板１の上面に沿って配置されて、収納庫１の外部に導き出される。
【００１９】
屈曲可能な光ファイバにより、収納庫内の物品を避けて伝達路１４を形成できる。これにより、イオン発生装置１０から収納庫の外部に通じる光の伝達路１４が形成される。表示部１１から発せられた光は、伝達路１４を通じて収納庫の外部に伝達される。扉５が閉まっているとき、利用者が伝達路１４の他端を覗くと、表示部１１の表示状態を見ることができ、表示部１１の点灯の有無を視認できる。したがって、利用者は、扉５を開けなくても視認部１３を見ることにより、表示部１１の表示状態を視認でき、イオン発生装置１０の動作状態を簡便に確認することができる。
【００２０】
ここで、伝達路１４の断面積を変更する、すなわち光ファイバの断面積あるいは光ファイバの本数を変更することにより、視認部１３から見える光の明るさを設定することができる。伝達路１４の断面積を大きくすることにより、暗い光であっても外部に伝達することができる。これによって、よく見ないと気付かない程度の明るさとなり、周囲を暗くしても、視認部１３から漏れる明かりが気にならないようにできる。逆に、伝達路１４の断面積を小さくすることにより、明るい光が得られる。そのため、収納庫をちらっと見ただけで、視認部１３からの明かりを視認でき、イオン発生装置１０に異常が発生している場合に、すぐ気付くことができる。
【００２１】
また、伝達路１４の内端に集光用のレンズを装着してもよい。伝達路１４の内端は、表示部１１に対向して配置すればよく、表示部１１の正面に正確に位置決めしなくても、表示部１１からの光を受光できる。これによって、伝送路１４の取付作業が簡単になる。伝達路１４の外端側を固定せずにフリーにしておいてもよい。これにより、伝達路１４の外端を好きな位置に移動させることができる。すなわち、視認部１３を見やすい位置に設けることができる。
【００２２】
表示部１１が複数のインジケータ１２を有している場合、伝達路１４として用いる光ファイバの断面積を大きくする、あるいは光ファイバの本数を増やして、表示部１１の正面に伝達路１４の内端が位置するように伝達路１４を配置できる。各インジケータ１２からの光を漏れなく外部に伝達できる。したがって、表示部１１がメンテナンスの通知、異常の有無、運転モードなどのイオン発生装置１０の動作状態を示すインジケータ１２を有している場合に、これらの動作状態を収納庫の外部から確認することができる。
【００２３】
次に、他の形態の視認部１３を図４に示す。視認部１３は、扉５に設けられたドアスコープ１６とされ、立った人の目の高さに合わせた位置に設置される。ドアスコープ１６は、表示部１１よりも低い位置にある。ドアスコープ１６は、広角レンズを有しており、広角レンズが収納庫内に位置するように、ドアスコープ１６は扉５に装着される。広角レンズは視野角が広いので、イオン発生装置１０が天板１に設置されていても、表示部１１からの光を集光できる。したがって、表示部１１と広角レンズとの間に伝達路１４が形成され、表示部１１から発せられた光が、広角レンズからドアスコープ１６を通じて外部に伝達される。利用者がこのドアスコープ１６を覗くと、表示部１１の光を確認できる。
【００２４】
視認部１３として、広角レンズを有していないドアスコープ１６を使用する場合、図５に示すように、収納庫内にミラー１７が設けられる。ミラー１７は、扉５の内側に取り付けられ、ドアスコープ１６の内端に対向して配置される。ミラー１７は、表示部１１からの光を反射して、ドアスコープ１６に導く。このミラー１７によって、表示部１１から視認部１３までの伝達路１４が形成される。なお、イオン発生装置１０の位置に応じて、ミラー１７の角度を調整することにより、表示部１１からの光を確実に視認部１３に伝達できる。
【００２５】
これにより、ドアスコープ１６を覗くことにより、扉５を開けることなく、簡便にイオン発生装置１０の動作状態を確認できる。しかも、意識的に視認部１３を覗かない限り、収納庫内の様子を知ることができない。例え、視認部１３を覗いたとしても、表示部１１の明かりが見えるだけであり、その他の物が見られるといったことはない。
【００２６】
なお、本発明は、上記実施形態に限定されるものではなく、本発明の範囲内で上記実施形態に多くの修正および変更を加え得ることは勿論である。収納庫は、箪笥やクローゼット以外に冷蔵室や冷凍室であってもよく、収納される物品は、食肉やソーセージ、飲料などの食品とされる。あるいは収納庫は下駄箱でもよく、履物が収納される。また、収納庫に設置される電気機器は、オゾン発生装置、除湿器、加湿器、空気清浄機、エアコン、クーラ、暖房器などの空調機器、あるいはセンサ、メータなどの検出機器であってもよい。そして、電気機器は、天板以外の背板、側板などの他の場所に設置されてもよい。設置位置に応じて伝達路が形成される。
【００２７】
伝達路を複数のミラーを組み合わせて形成してもよい。表示部からの光がミラーに反射されて、収納庫の外部に導かれる。収納庫内に収納された物品が邪魔になる場合、物品を避けるように伝達路を形成できる。特に、表示部が光を放射するディスプレイを有する場合、この伝達路によれば、利用者はディスプレイの画面を視認可能となり、より詳しい動作状態を確認することができる。
【符号の説明】
【００２８】
１    天板
２    収納空間
５    扉
１０    イオン発生装置
１１    表示部
１２    インジケータ
１３    視認部
１４    伝達路
１６    ドアスコープ
１７    ミラー
【図１】
2013100948.tif 000003
【図２】
2013100948.tif 000004
【図３】
2013100948.tif 000005
【図４】
2013100948.tif 000006
【図５】
2013100948.tif 000007